(57)【要約】      （修正有）【課題】提供された案内情報を利用した配信用コンテンツデータを簡易にする。【解決手段】ユーザ端末から送り込まれた検索画像に基づき予め登録された照合用画像から画像特徴量の高い画像を登録画像として抽出する画像照合モジュールと、抽出された登録画像に対応して予め設定された提示用コンテンツ情報を前記ユーザ端末に対して提供する提示用情報提供モジュールと、提供された提示用コンテンツ情報に対する入力指定が行われた場合に当該入力指定を配信データの配信指定要求として取得し予め設定された配信用コンテンツ情報から前記配信指定要求に対応する配信用コンテンツ情報を収集すると共に、当該収集したコンテンツから成る前記配信データを生成すると共に、この配信データをユーザ端末に対して提供する配信データ生成モジュールを備えた案内情報提供装置１。【選択図】図１
2011187001.tif 000002
【特許請求の範囲】
【請求項１】
ユーザ端末からの要求に応じて配信データを提供する配信データ提供手段を有する案内情報提供装置であって、
ユーザ端末から送り込まれた検索画像に基づき予め登録された照合用画像との照合を行うと共に前記検索画像における画像特徴量との共通性が一定値より高い照合用画像を登録画像として抽出する画像照合手段と、
前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供手段と、
前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成手段とを備えたことを特徴とする案内情報提供装置。
【請求項２】
請求項１に記載の案内情報提供装置において、
前記ユーザ端末に対して提供された前記提示用コンテンツ情報にかかる情報を履歴情報として記憶すると共に、前記履歴情報に基づき前記ユーザ端末からの入力指定された前記提示用コンテンツ情報に対応した前記配信用コンテンツを特定する配信用コンテンツ特定手段を備えたことを特徴とする案内情報提供装置。
【請求項３】
請求項１又は２に記載の案内情報提供装置において、
前記送り込まれた検索画像に含まれる文字情報を抽出する文字認識手段を備え、
前記配信データ生成手段は前記抽出された文字情報を含む配信データを生成することを特徴とする案内情報提供装置。
【請求項４】
請求項１又は２に記載の案内情報提供装置において、
前記送り込まれた検索画像に含まれる文字情報を抽出する文字認識手段を備え、
前記配信データ生成手段は、前記抽出された文字情報および前記検索画像を含む配信データを生成することを特徴とする案内情報提供装置。
【請求項５】
請求項１又は２に記載の案内情報提供装置において、
前記配信データ生成手段は、前記提示用コンテンツ情報の提供が行われてから一定時間内に前記提示用コンテンツ情報に対する入力指定が行われた場合に、当該入力指定を前記配信データの配信指定要求として取得する時間内入力指定取得機能を備えたことを特徴とした案内情報提供装置。
【請求項６】
通信回線を介して送り込まれた要求に応じて配信データを提供する案内情報提供装置と、前記案内情報提供装置に検索画像を送信することにより当該検索画像に対応する配信データの要求を行うユーザ端末とを備えた案内情報提供システムであって、
前記案内情報提供装置は、
ユーザ端末から送り込まれた検索画像に基づき予め登録された照合用画像との照合を行うと共に前記検索画像における画像特徴量との共通性が一定値より高い照合用画像を登録画像として抽出する画像照合手段と、
前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供手段と、
前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成手段とを備えたことを特徴とする案内情報提供システム。
【請求項７】
請求項６に記載の案内情報提供システムにおいて、
前記ユーザ端末は、
前記提示用情報提供手段により提示された提示用コンテンツ情報を出力する提示用コンテンツ出力手段と、
前記出力した前記提示用コンテンツ情報に対する入力指定を行うコンテンツ入力指定手段とを備えたことを特徴とする案内情報提供システム。
【請求項８】
請求項６または７に記載の案内情報提供システムにおいて、
前記ユーザ端末は、対象物の撮影を行う撮影手段と、前記撮影した画像情報を前記検索画像として送信する画像情報送信手段を備えたことを特徴とする案内情報提供システム。
【請求項９】
通信回線を介して送り込まれた要求に応じて配信データを提供する案内情報提供装置と、前記案内情報提供装置に検索画像を送信することにより当該検索画像に対応する配信データの要求を行うユーザ端末とを備えた案内情報提供システムにあって、前記ユーザ端末に対して前記配信データを提供する案内情報提供方法であって、
ユーザ端末から送り込まれた検索画像に基づき予め登録された照合用画像との照合を行うと共に前記検索画像における画像特徴量との共通性が一定値より高い照合用画像を登録画像として抽出し、
前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供し、
前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成し、当該配信データを前記ユーザ装置に送信することを特徴とする案内情報提供方法。
【請求項１０】
通信回線を介して送り込まれた要求に応じて配信データ（対象物情報，案内情報）を提供する案内情報提供装置と、前記案内情報提供装置に検索画像を送信することにより当該検索画像に対応する配信データの要求を行うユーザ端末とを備えた案内情報提供システムにあって、前記ユーザ端末に対して前記配信データを提供するための案内情報提供プログラムであって、
ユーザ端末から送り込まれた検索画像に基づき予め登録された照合用画像との照合を行うと共に前記検索画像における画像特徴量との共通性が一定値より高い照合用画像を登録画像として抽出する画像照合機能と、
前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供機能と、
前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成機能とをコンピュータに実行させることを特徴とした案内情報提供プログラム。
【発明の詳細な説明】
【技術分野】
【０００１】
本発明は、利用者からの要求に対してコンテンツ情報を提供するコンテンツ提供システムに関する。
【背景技術】
【０００２】
展示会、テーマパーク、寺院、商店街等では、現地で掲示されている展示物や建物に係る説明や地図情報などの案内情報を、利用者に対して提供するための案内情報提供システムが利用されている。
案内情報提供システムにおける案内情報は、一般に、画像コンテンツや音声コンテンツ等の案内用コンテンツであって、これら案内用コンテンツは、例えば、サーバ装置などの情報提供装置からユーザが所持する端末機に対して提供され端末機の表示画面やスピーカーで出力再生される。
【０００３】
また、案内情報（案内用コンテンツ）がユーザ所持端末に提供された場合、利用者は、例えば、この案内情報から興味のある対象画像などを抽出して対象画像リストを作成し、このリストに文章等を付加することにより、案内情報を日記などの形式の記録コンテンツの素材情報として利用することができる。
更には、利用者は、提供された案内情報を利用して、個人的な記録情報の他、インターネットを介して公開可能な形式の公開用記事やソーシャル・ネットワーキング・サービス（ＳＮＳ）における投稿用記事を生成することができる。
【０００４】
特に、上述のように投稿用記事を生成する場合、ユーザは、ユーザ自身が撮影した写真画像に含まれる撮影対象物（対象物）と、この対象物に係る文章などが結合させることにより、撮影現場における臨場感のある、日記やブログ形式の記事コンテンツを作成することができる。
【０００５】
これに対する関連技術として、情報提供を行うための
撮影画像、撮影位置、撮影方位データから、予め設定された対象物データベースに格納された対象物情報（対象物の名前など）を取得し、撮像画像上の各対象物に対象物情報をリンク付けしたデータを端末に提供する技術が開示されている（特許文献１）。
【０００６】
また、利用者が自己の所在地を地図情報から検索すると共に、この所在地情報にコメントや写真等を対応付けてアルバムデータを作成するための技術が開示されている（特許文献２）。
【０００７】
更に、これに対する関連技術として、予め設定されたコンテンツ素材リスト画面の全体見出し画像に関連するコンテンツ素材情報を表示させ、この素材情報から利用者が所望の素材情報を選択することにより、配信データを生成し、配信する技術が開示されている（特許文献３）。
【０００８】
また、この関連技術として、顧客の検索履歴、顧客の属性情報、位置情報などを利用して広告情報を選択し顧客に対して配信する広告配信サーバが開示されている（特許文献４）。
【０００９】
また、これに関連する技術として、ＩＤマークを撮影した画像データをＩＤマークに関連づけられた展示説明（案内情報）を提供するシステムが開示されている（特許文献５）。
【００１０】
また、この関連技術として、画像データを検索のためのキーデータとして利用し、インデックス検索により選択された候補データとキーデータに基づき抽出した静止画データとを直接比較する直接検索処理を行い、この検索処理結果を配信サーバに供給するコンテンツ検索技術が開示されている（特許文献６）。
【００１１】
更に、この関連技術として、注釈情報を教示するサーバシステムを構築するための技術として、形態情報と注釈情報とが登録される標本データベースと、
クライアントから通信回線を通じて検索対象の撮影画像を受信する受信手段と、
撮影画像と携帯情報とを照合して検索対象に適合する事物を標本データベース内から検索、抽出する検索手段と、抽出された事物の注釈情報を、通信回線を介してクライアントに送信する送信手段とを備えた画像注釈サーバを有し、注釈情報を利用者に教示するサーバシステムが開示されている（特許文献７）。
【先行技術文献】
【特許文献】
【００１２】
【特許文献１】特開２００３−１６０９１号公報
【特許文献２】特開２００２−１７５３１５号公報
【特許文献３】特開２００６−９２３１０号公報
【特許文献４】特開２００８−１６０８７９号公報
【特許文献５】特開２００８−３３６１３号公報
【特許文献６】特開２００８−３３６１３号公報
【特許文献７】特開２００８−３３６１３号公報
【発明の概要】
【発明が解決しようとする課題】
【００１３】
しかしながら、上記特許文献１〜７、およびその組み合わせとしての内容では、案内情報の提供を受けたユーザは端末に表示される案内情報（展示説明）を理解した上で、配信用データ生成に利用するための説明や情報を例えば、筆記やキーボード入力などにより（メモ情報として）入力することにより抽出し、抽出した情報に基づき日記、ブログなどの配信用データを作成する必要があり、案内情報を含む配信用データを生成するための手間がかかり、利用者にとって大きな負担となってしまう不都合がある。
【００１４】
［発明の目的］
本発明は、上記関連技術の有する不都合を改善し、予め設定された案内情報に対してユーザ所望の情報が付加された配信用コンテンツデータを簡易に生成し得る案内情報提供装置、案内情報提供システム、案内情報提供方法、案内情報提供プログラムを提供することを、その目的とする。
【課題を解決するための手段】
【００１５】
上記目的を達成するために、本発明に係る案内情報提供装置は、ユーザ端末からの要求に応じて配信データを提供する配信データ提供手段を有する案内情報提供装置であって、ユーザ端末から送り込まれた検索画像に基づき予め登録された照合用画像との照合を行うと共に前記検索画像における画像特徴量との共通性が一定値より高い照合用画像を登録画像として抽出する画像照合手段と、前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供手段と、前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成手段とを備えた構成を有する。
【００１６】
また、本発明にかかる案内情報提供システムは、通信回線を介して送り込まれた要求に応じて配信データを提供する案内情報提供装置と、前記案内情報提供装置に検索画像を送信することにより当該検索画像に対応する配信データの要求を行うユーザ端末とを備えた案内情報提供システムであって、前記案内情報提供装置は、ユーザ端末から送り込まれた検索画像に基づき予め登録された照合用画像との照合を行うと共に前記検索画像における画像特徴量との共通性が一定値より高い照合用画像を登録画像として抽出する画像照合手段と、前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供手段と、前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成手段とを備えたことを特徴としている。
【００１７】
更に、本発明に係る案内情報提供方法は、通信回線を介して送り込まれた要求に応じて配信データを提供する案内情報提供装置と、前記案内情報提供装置に検索画像を送信することにより当該検索画像に対応する配信データの要求を行うユーザ端末とを備えた案内情報提供システムにあって、前記ユーザ端末に対して前記配信データを提供する案内情報提供方法であって、ユーザ端末から送り込まれた検索画像に基づき予め登録された照合用画像との照合を行うと共に前記検索画像における画像特徴量との共通性が一定値より高い照合用画像を登録画像として抽出し、前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供し、前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成し、当該配信データを前記ユーザ装置に送信することを特徴としている。
【００１８】
また、本発明に係る案内情報提供プログラムは、通信回線を介して送り込まれた要求に応じて配信データ（対象物情報，案内情報）を提供する案内情報提供装置と、前記案内情報提供装置に検索画像を送信することにより当該検索画像に対応する配信データの要求を行うユーザ端末とを備えた案内情報提供システムにあって、前記ユーザ端末に対して前記配信データを提供するための案内情報提供プログラムであって、ユーザ端末から送り込まれた検索画像に基づき予め登録された照合用画像との照合を行うと共に前記検索画像における画像特徴量との共通性が一定値より高い照合用画像を登録画像として抽出する画像照合機能と、前記抽出された登録画像に対応して予め設定された提示用コンテンツ情報と当該提示用コンテンツ情報に対応して設定された提供用コンテンツ情報とをそれぞれ抽出すると共に、前記提示用コンテンツ情報を前記ユーザ端末に対して提供する提示用情報提供機能と、前記提供された提示用コンテンツ情報に対する入力指定が行われた場合に当該入力指定を前記配信データの配信指定要求として取得すると共に、前記入力指定が行われた提示用コンテンツ情報に対応した前記配信用コンテンツ情報を収集し、当該配信用コンテンツ情報および前記検索画像を含み構成される前記配信データを生成する配信データ生成機能とをコンピュータに実行させることを特徴としている。
【発明の効果】
【００１９】
本発明は、以上のように構成され機能するので、これによると、ユーザから送り込まれた検索画像に関連する提供用コンテンツ情報を抽出する手段と、この提供用コンテンツ情報および検索画像を含み構成される配信用コンテンツデータを生成する手段とを備えたことにより、提供された案内情報に対してユーザ所望の情報が付加された配信用コンテンツデータを簡易に生成することを可能とする案内情報提供システム、案内情報提供装置、案内情報提供方法、案内情報提供プログラムを提供することができる。
【図面の簡単な説明】
【００２０】
【図１】本発明による案内情報提供システムにおける一実施形態を示す概略ブロック図である。
【図２】図１に開示した案内情報提供システムにおける案内情報提供装置の内部構成の一例を示す概略ブロック図である。
【図３】図１に開示した案内情報提供システムにおける案内情報提供装置のプログラム処理により実現される機能モジュール構成の一例を示す概略ブロック図である。
【図４】図３における配信データ作成モジュールの機能モジュール構成の一例を示す概略ブロック図である。
【図５】図１に開示した案内情報提供システムにおけるユーザ端末に提示された指定入力指定用画象の一例を示す説明図である。
【図６】図１に開示した案内情報提供システムにおける検索処理動作の動作処理ステップを示すフローチャートである。
【図７】図１に開示した案内情報提供システムにおける配信処理動作の動作処理ステップを示すフローチャートである。
【図８】図１に開示した案内情報提供システムにおける案内情報提供装置の内部構成の一例を示す概略ブロック図である。
【図９】図８に開示した案内情報提供システムにおける案内情報提供装置のプログラム処理により実現される機能モジュール構成の一例を示す概略ブロック図である。
【図１０】図９の案内情報提供装置における配信データ作成モジュールの機能モジュール構成の一例を示す概略ブロック図である。
【図１１】図８に開示した案内情報提供装置におけるユーザ端末に提示された指定入力指定用画象の一例を示す説明図である。
【図１２】図８に開示した案内情報提供装置における配信処理動作の動作処理ステップを示すフローチャートである。
【発明を実施するための形態】
【００２１】
［実施形態１］
次に、本発明を実施するための実施形態について図面を参照して説明する。
【００２２】
本発明の実施形態１としての案内情報提供システムは、図１に示すように、ユーザ端末１００から送り込まれた検索用の画像（検索画像）に基づき、この検索画像にかかる案内情報コンテンツ（配信データ）を生成してユーザ端末に送信する案内情報提供装置１を備えた構成を有する。
【００２３】
以下、これを詳述する。
案内情報提供装置１は、図２に示すように、中央演算装置（以下、「ＣＰＵ」という）２と、記憶媒体３と、入出力インターフェイス４とから構成されるサーバ装置であって、
ＣＰＵ２は、記憶媒体３内に予め設定された各種ソフトウェアプログラム（コンピュータプログラム）を実行することにより、案内情報提供装置１における機能動作を制御する。
【００２４】
記憶媒体３は、各種ソフトウェアプログラムとその実行に必要なデータを記憶保持するハードディスクドライブ（ＨＤＤ）等の記憶手段であるものとする。
入出力インターフェイス４は、案内情報提供装置１の外部とのデータ通信に用いられ、この入出力インターフェイス４を介してＣＰＵ２と外部機器との通信を可能とする通信用インターフェイスである。
また、入出力インターフェイス４は、例えば、外部機器から送り込まれる通信信号を通信線に対して中継するコネクタや、無線信号を受信する機器であってもよく、案内情報提供装置１内部における信号伝達経路の一部であってもよい。
【００２５】
ここで、案内情報提供装置１は、上記ＣＰＵ２が入出力インターフェイス４から送受信される情報を適宜参照しながら、予め設定された各種ソフトウェアプログラムを実行することにより、以下に示すソフトウェアモジュールを実現する。
以下、これを概説する。
【００２６】
案内情報提供装置１は、ユーザ端末１００から送り込まれた検索画像と予め設定された照合用画像を照合する画像照合モジュール１２と、この照合結果により検索画像（登録画像）に関連した情報としての提示用案内コンテンツおよび配信用案内コンテンツを抽出して格納する参照用データ格納手段と、ユーザに対して提示用案内コンテンツを提示する情報提示モジュール１４と、ユーザに対して提示された情報提示用案内コンテンツの履歴情報として管理する情報提示履歴管理モジュール１５と、ユーザからの配信要求と履歴情報に基づき配信用案内コンテンツを特定すると共に、当該配信用コンテンツと検索画像を含む配信用のデータコンテンツを生成する配信データ作成モジュール１６とを備えた構成を有する。
【００２７】
以下、これを詳説する。
【００２８】
案内情報提供装置１は、図３に示すように、ユーザ端末１００から送り込まれた検索画像と予め設定された照合用画像との照合検索を行う画像照合モジュール１２と、画像照合モジュール１２による照合検索により抽出された画像（登録画像）と検索画像を予め設定された記憶領域に格納する処理を行う参照用データ格納モジュール１３と、予め設定された記憶領域に格納された提示用案内コンテンツをユーザ端末１００に提供する情報提示モジュール１４と、ユーザ端末１００に提示された提示用案内コンテンツを示す情報を取得し記憶する情報提示履歴管理モジュール１５と、ユーザ端末１００から送り込まれた入力指定内容に基づき記憶された検索画像を含む配信用データを生成する配信データ作成モジュール１６と、上記機能モジュールにおける動作処理の制御を行う制御モジュール１１からなる本体部１０を備えている。
尚、上記各機能モジュールは、ＣＰＵ２によるソフトウェアプログラムの実行処理により実現されるものとする。
【００２９】
画像照合モジュール１２は、案内情報提供装置１に対して情報提供を要求する端末（以下「ユーザ端末」という）により情報検索のキーとして入力される画像（以下、「検索画像」という）と記憶媒体３に予め記憶された画像（以下「照合用画像」という）を照合する（画像照合機能）ことにより、予め設定された画像特徴量に基づき検索画像に対応する画像を登録画像として抽出する（画像検索抽出機能）。
【００３０】
また、後述する参照用データ格納モジュール１３として設定された記憶領域に、登録画像から計算された画像特徴量が格納されている場合は、照合用画像の代わりに（あるいは、照合用画像と共に）、画像特徴量を利用した照合を行う設定であってもよい。
尚、画像照合モジュール１２は、上記画像照合機能として、検索画像に対応する登録画像を検索するための画像照合技術として、以下に示す技術を利用する設定であってもよい。
特に、登録画像や検索画像内に含まれる撮像対象物として文字列が含まれる記載された看板や案内板などが含まれる場合は、特許文献８（文書画像特徴量生成装置、方法、プログラムおよび文書画像検索照合装置、方法、プログラム）や特許文献９（画像照合装置、方法、プログラム）に開示されている技術を適用することにより有効に画像照合を行うことができる。
【００３１】
［特許文献８］
国際番号  ＷＯ２００８／０６６１５２Ａ１
［特許文献９］
国際番号  ＷＯ２００９／０６０９７５Ａ１
【００３２】
参照用データ格納モジュール１３は、登録画像に対応して予め設定された提示用案内コンテンツおよび配信用案内コンテンツそれぞれを、記憶媒体３に予め設定された記憶領域に格納する案内コンテンツ抽出格納機能を有する。
尚、参照用データ格納モジュール１３は、画像照合モジュール１２の画像照合に用いるために登録画像から予め計算しておいた画像特徴量（以下「画像特徴量」という）を格納する設定であってもよい。
【００３３】
また、参照用データ格納モジュール１３には、１つの登録画像につき、少なくとも１つの情報提示用案内コンテンツ、および、少なくとも１つの情報配信用案内コンテンツ（１種類以上の画像特徴量）が対応付けられた状態で格納されているものとする。
更に、参照用データ格納モジュール１３は、１つの提示用案内コンテンツに対しては少なくとも１つの配信用案内コンテンツが対応付けされて格納されるものとする。
【００３４】
尚、提示用案内コンテンツは、少なくとも１つの配信用案内コンテンツに対応して記憶されており、対応する配信用案内コンテンツの種別、情報形態を示す情報であるものとする。また、提示用案内コンテンツは、対応する配信用案内コンテンツの内容を簡易表示するサムネイルなどの情報であってもよい。
これにより、ユーザ端末上で表示された提示用案内コンテンツに対する選択指定が行われた場合には、選択指定された提示用案内コンテンツに対応して予め設定された配信用案内コンテンツが組み込まれた配信用データを生成することが可能となる。
【００３５】
情報提示モジュール１４は、画像照合モジュール１２により検索画像に対応した登録画像に対して、対応付けられた提示用案内コンテンツを参照用データ格納モジュール１３から取得し、ユーザ端末に送信する（参照用情報送信機能）。
【００３６】
情報提示モジュール１４は、参照用データ格納モジュールにより格納された提示用案内コンテンツをユーザ端末１００に送信する提示用コンテンツ送信機能を有する。
これにより、提示用案内コンテンツがユーザ端末１００の表示画面（ディスプレイ）に指定入力用画像として出力表示される。
尚、提示用案内コンテンツが音声ファイルである場合には、ユーザ端末１００に予め設定されたスピーカーやヘッドホンから音声として出力されるものとする。また、提示用案内コンテンツが音声および画像情報を含むデータファイルである場合や、映像ファイルである場合、この提示用案内コンテンツは指定入力用情報として音声および画像情報が同時に出力される。さらには、指定入力用情報として、視聴覚以外の提示手段を利用する設定であってもよい。
【００３７】
また、案内情報提供装置１の外面に提示用案内コンテンツおよび配信用データの出力（表示）用の表示画面を設けた設定としてもよい。
これにより、案内情報提供装置１が有する表示画面に提示用案内コンテンツを出力表示することができる。
尚、この場合、利用者は案内情報提供装置１の表示画面に出力された提示用案内コンテンツに対して指定入力を行うことができるものとする。
【００３８】
ここで、登録画像に対応付けられている異なる提示用案内コンテンツが格納されている場合は、抽出された全ての提示用案内コンテンツがユーザ端末１００に提供される設定であってもよい。
また、情報提示モジュール１４は、提示用案内コンテンツをユーザ端末１００に提供する場合に、ユーザの年齢、性別などに応じて予め設定されたユーザ毎の提示条件に基づき、特定の提示用安定コンテンツを選択してユーザ端末１００に対して提示する設定であってもよい。
【００３９】
情報提示履歴管理モジュール１５は、情報提示モジュール１４により提示された情報提示用案内コンテンツの履歴を保持する履歴情報保持機能と、情報提示用案内コンテンツそれぞれに対応してユーザ端末１００から送り込まれた配信指定情報を、受け付けて保持する配信指定情報格納機能を有する。
【００４０】
配信データ作成モジュール１６は、検索画像、情報提示履歴管理モジュール１５が保持する情報提示用案内コンテンツの履歴情報および配信指定情報に基づき特定される配信用案内コンテンツと、検索画像を含む配信用データ（配信用コンテンツ）を作成する配信用コンテンツ生成機能を備えている。
【００４１】
配信データ作成モジュール１６は、図４に示すように、情報提示履歴管理モジュール１５が保持する情報提示用案内コンテンツの履歴情報を取得する配信指定集計モジュール１６１と、参照用データ格納モジュール１３により格納された配信用案内コンテンツを取得する配信データ収集モジュール１６２と、取得された配信用案内コンテンツおよび検索画像を含み構成される配信用データの生成を行う配信データ編集モジュール１６３を含み構成される。
【００４２】
配信指定集計モジュール１６１は、情報提示履歴管理モジュール１５が保持する提示用案内コンテンツの履歴情報とユーザ端末１００から送り込まれた配信指定要求とを取得すると共に、この履歴情報および配信指定要求に基づき、ユーザ端末１００により指定（配信要求）された提示用案内コンテンツを特定する指定提示用コンテンツ特定機能を有する。
配信データ収集モジュール１６２は、配信指定集計モジュール１６１により特定された提示用案内コンテンツに対応して設定された配信用案内コンテンツを特定すると共に、この配信用案内コンテンツを収集する機能を有する。
配信データ編集モジュール１６３は、配信データ収集モジュール１６２により収集された配信用案内コンテンツと、検索画像とが組み込まれた配信用データ（配信用コンテンツ）を生成する機能を有する。
ここで、配信データ編集モジュール１６３は、予め設定されたコンテンツ形式（例えば、ブログ形式）に基づき配信用データを生成する設定であってもよい。
【００４３】
ここで、案内情報提供装置１からユーザ端末１００に対して送信された配信用データの一例を、図５に示す。
この配信用データは、図５に示すように、検索画像、検索画像に対応する登録画像、配信用案内コンテンツ、文字入力用空欄が組み合わせされた形式のコンテンツデータである。
尚、この組み合わせが複数個結合される代わりに一組の組み合わせ（ｎ＝１の場合に相当）であってもよい。
また、文字入力用空欄は、ユーザの記録のため、あるいは発信の際にユーザのコメントを入力用スペースである。
【００４４】
制御モジュール１１は、外部（ユーザ端末１００）からの入出力データの入出力を制御すると共に、案内情報提供装置１内の各動作モジュールの動作および動作モジュール相互間の通信を制御する。
本実施形態では制御モジュール１１は、入出力インターフェイス４を含むように構成するが、構成はこれに限られない。また、ユーザ端末１００からの入力は、検索画像の入力、ユーザから指定される配信データ配信先の入力、提示用案内コンテンツを介してユーザから入力された配信指定情報を含むものとする。
【００４５】
また、上記実施形態では、ユーザ端末１００と案内情報提供装置１とがそれぞれ分離した装置として構成された場合について説明したが、ユーザ端末１００が案内情報提供装置１の外面に装備され一体化された構成であってもよい。
【００４６】
［実施形態１の動作説明］
次に、本実施形態１である案内情報提供システムの動作について概説する。
まず、画像照合モジュール１２は、ユーザ端末１００から送り込まれた検索画像に基づき予め登録された照合用画像との照合を行うと共に前記検索画像における画像特徴量との共通性が一定値より高い照合用画像を登録画像として抽出し（画像照合行程）、情報提示モジュール１４は、前記照合用画像から画像特徴量の高い画像を登録画像として抽出し、登録画像に対応して予め設定された提示用コンテンツ情報と当該提示用コンテンツ情報に対応して設定された提供用コンテンツ情報とをそれぞれ抽出し、提示用情報提供手段が、提示用コンテンツ情報を前記ユーザ端末に対して提供する。
次いで、配信データ作成モジュール１６が、ユーザ端末１００が提示用コンテンツ情報に対する入力指定が行った場合に、この入力指定を配信データの配信指定要求として取得すると共に、この入力指定が行われた提示用コンテンツ情報に対応した配信用コンテンツ情報を収集し、配信データ生成手段が、配信用コンテンツ情報および検索画像を含み構成される前記配信データを生成する
ここで、上記画像照合行程、提示用情報提供行程、および配信データ生成行程については、その実行内容をプログラム化して処理する設定としてもよい。
【００４７】
次に、本実施形態１である案内情報提供システムの動作について、図５及び図６のフローチャートに基づき説明する。
ここでは、本実施形態における全体の動作として、ユーザ端末１００から送り込まれた検索画像に基づき配信データ用のコンテンツ情報を検索する、案内情報提供装置１の検索処理動作（Ａ１）と、ユーザ端末１００からの入力指定に基づき配信データを生成し、この配信データをユーザ端末１００に対して配信する配信処理動作（Ａ２）について説明する。
【００４８】
まず、案内情報提供装置１における検索画像に基づき提示用案内コンテンツを抽出してユーザ端末１００に提供すると共にユーザ端末１００からの入力指定を受け付けるまでを示す検索処理動作（Ａ１）について、図５のフローチャートに基づき説明する。
【００４９】
ここで、本実施形態の案内情報提供装置１には、検索処理動作（Ａ１）の開始に先立ち、参照用データ格納モジュール１３に含まれるデータ記憶領域（参照用データ格納手段）には、照合用画像データ（第２の画像）、各照合用画像データに対応づけられた提示用案内コンテンツおよび配信用案内コンテンツが予め記憶されているものとする。
【００５０】
まず、制御モジュール１１が、ユーザ端末１００から送り込まれた検索画像を受信する（ステップＳ１１）。ここで、制御モジュール１１は、画像照合モジュール１２を起動する（ステップＳ１２）。
画像照合モジュール１２は、記憶媒体３内の予め設定された記憶領域に記憶された照合用画像の中から検索画像に含まれる対象物との予め設定された画像特徴量が近似する高い画像を、登録画像として抽出する（照合画像抽出機能）。
尚、上記照合画像抽出機能では、設定された画像特徴量の近似値が一定値より高い複数の異なる２つ以上の照合用画像を登録画像として選出する設定であってもよい。
この場合、選出した異なる登録画像をユーザ端末１００に送信することにより、ユーザに対して登録画像の選択入力を要求する設定であってもよい。
これにより、画像照合モジュール１２が、検索画像中に異なる複数の対象物を検出した場合でも、ユーザ所望の対象物に対応した登録画像を確実に選出することができる。
【００５１】
次いで、参照用データ格納モジュール１３が、抽出された登録画像に対応して記憶された提示用案内コンテンツと配信用案内コンテンツとをそれぞれ予め設定された記憶領域（例えば、提示用コンテンツ記憶領域および配信用コンテンツ記憶領域）に格納する。
ここで、情報提示モジュール１４は、登録画像に対応した提示用案内コンテンツを提示用コンテンツ記憶領域から取得し、ユーザ端末１００に対して入力指定用コンテンツとして送信する。
これにより、ユーザ端末１００の表示画面に、提示用案内コンテンツ（入力指定用コンテンツ）が出力される。
【００５２】
ここで、ユーザ端末１００に対して送信する提示用案内コンテンツは、登録画像に対応して設定された全ての提示用案内コンテンツであるものとする。
尚、登録画像に対応付けされた提示用案内コンテンツが複数個記憶されている場合に、提供先であるユーザ端末のユーザに対応して予め設定された年齢、性別などのユーザ情報に基づき設定された選択条件に基づき提示用案内コンテンツを選択して、ユーザ端末に提供する設定であってもよい。
【００５３】
次いで、情報提示履歴管理モジュール１５は、ユーザ端末１００に対して送信された提示用案内コンテンツを示す情報を提示履歴情報として記憶する（ステップＳ１３）。
また、制御モジュール１１は、提示用案内コンテンツがユーザ端末１００に提示されたことを検知し、ユーザ端末１００からの情報配信指定を受け付ける状態（受付待機状態）に設定する（ステップＳ１４）。
【００５４】
ここで、例えば、ユーザ端末１００の表示画面がタッチパネルインターフェイスを備えている場合には、この表示画面に表示された提示用案内コンテンツのアイコンを利用者がタップする（指定入力を行う）ことにより、入力指定された提示用案内コンテンツに対応する入力指定情報（配信指定要求）が制御モジュール１１に送り込まれる。
これにより、制御モジュール１１は、この入力指定情報を受信する。
【００５５】
ここで、例えば、提示用案内コンテンツが一つである場合には、制御モジュール１１はユーザ端末１００に対して、案内コンテンツの配信を希望するか否かの入力を促すダイアログ形式の情報を送信すると共に、ユーザ端末１００からの配信要求の有無を示す情報を取得する設定であってもよい。
【００５６】
また、制御モジュール１１は、予め設定されたタイマー機能により、提示用案内コンテンツの配信後予め設定された時間内に、ユーザ端末１００から配信要求（入力指定）が返信入力されない場合には、配信指定が無いものと判定する設定であってもよい。
【００５７】
制御モジュール１１がユーザ端末１００からの配信指定要求を取得した場合、情報提示履歴管理モジュール１５は、配信指定要求に基づき、上記提供された各提示用案内コンテンツに対する配信指定の有無を示す情報を予め記憶された履歴情報に対して追記する（ステップＳ１５）。
ここで、制御モジュール１１は、上記ステップＳ１１で受け付けた検索画像に対応したコンテンツ検索処理Ａ１全体が終了しているか否かの判定を行い（ステップＳ１６）、全ての動作処理ステップが終了した場合（ＹＥＳ）、コンテンツ検索処理Ａ１を終了する。
【００５８】
また、ユーザ端末１００から検索処理終了要求が、案内情報提供装置１に対して送り込まれた場合や、タイマー機能により指定される時間をオーバーしても次の検索画像の入力が無い（指定入力がない）場合は、検索動作終了と判定されるものとする。
一方、予め設定された時間内に次の検索画像が送り込まれた場合は、この検索画像に基づきコンテンツ検索処理が新たに実行される（ステップＳ１１へ）。
【００５９】
次に、本実施形態１におけるコンテンツ配信処理Ａ２の動作について、図６のフローチャートに基づき説明する。
尚、案内情報提供装置１におけるコンテンツ配信処理Ａ２は、例えば、ユーザ端末１００から明示的な配信要求指示が行われた時（配信要求時）、あるいは予め設定された日時に行われるものとする。
ここでは、上述のように、ユーザ端末１００から送り込まれた指定入力を配信要求指示として受信した場合について説明する。
【００６０】
まず、配信データ作成モジュール１６の配信指定集計モジュール１６１が、情報提示履歴管理モジュール１５により記憶された履歴情報に基づき、ユーザ端末１００から配信要求された配信用案内コンテンツを特定する（ステップＳ２１）。
【００６１】
次に、配信データ収集モジュール１６２が、特定された配信用案内コンテンツを参照用データ格納モジュール１３の記憶領域から収集する（ステップＳ２２）。
次いで、配信データ編集モジュール１６３が、収集した情報配信用案内コンテンツに基づき配信データを編集（生成）する（ステップＳ２３）。ここでは、配信指定集計モジュール１６１により特定された情報配信用案内コンテンツ、および検索画像が処理の対象となる。
次に、制御モジュール１１が、生成された配信データを端末１００に対して配信する（配信データ送信：ステップＳ２４）。
【００６２】
尚、この配信データ送信は、例えば、電子メールに添付することで配信してもよい。また、計算機もしくは計算機ネットワーク上の予め定められた格納手段に格納する設定であってもよい。
【００６３】
以上のように、本実施形態１の案内情報提供装置１では、ユーザ端末から送り込まれた対象物を撮影した画像（検索画像）を検索キーとして提示用案内コンテンツと配信用案内コンテンツの２種類のコンテンツを検索抽出し、このうち提示用案内コンテンツをユーザ端末に提供する。
また、案内情報提供装置１は、提示用案内コンテンツに対してユーザが行った入力指定に基づき、対応する配信用コンテンツを特定し、特定された配信用コンテンツと検索画像を含む配信用データ（配信用案内コンテンツ）を作成することができる。
【００６４】
これにより、例えば、案内情報提供装置１に送り込まれた検索画像がユーザにより撮影された画像である場合に、この検索画像を配信用データ内に含めることにより、ユーザは自ら撮影した写真と、撮影した対象物に係る情報（例えば、対象物に係る説明文等：対象物説明情報）を含む配信用データ（例えば、ブログ形式としての配信用データ）を簡易に生成することが可能となる。
【００６５】
また、本実施形態１では、生成した配信用データを予め設定されたタイミングで配信するようにしてもよい。これにより、利用者は、自己が撮影した画像を利用したブログ記事を定期的に作成することができる。
【００６６】
［実施形態２］
次に、本発明に係る実施形態２としての案内情報提供システムについて説明する。ここで、前述した実施形態１と同一の部分については、同一の符号を付するものとする。
この実施形態２は、システムの機器構成部分は前述した実施形態１とほぼ同一の構成を備えており（図１）、本実施形態２における案内情報提供装置（１Ｂという）の内部構成において、図９に示すように、文字認識モジュール２７を備えると共に、実施形態１における配信データ作成モジュール１６に代えて配信データ作成モジュール２６を備えた点が実施形態１の場合と相違する。
ここで、実施形態１における案内情報提供装置１と区別するため、実施形態２における案内情報提供装置を案内情報提供装置１Ｂとする。
【００６７】
以下、これを詳説する。
ここで、本発明の実施形態２に係る案内情報提供装置１Ｂの構成について説明する。
本実施形態２の案内情報提供装置１Ｂは、図８に示すように、上述の実施形態１（図２）における内部構成と同一の内部構成を有する。
【００６８】
また、案内情報提供装置１Ｂは、上述の実施形態１と同様に、上記ＣＰＵ２が入出力インターフェイス４から送受信される情報を適宜参照しながら、予め設定された各種ソフトウェアプログラムを実行することにより、以下に示すソフトウェアモジュールを実現する（図９）。
ここで、案内情報提供装置１Ｂは、画像照合モジュール１２、参照用データ格納モジュール１３、情報提示モジュール１４、情報提示履歴管理モジュール１５は、上述の実施形態１の場合と同一の機能モジュールを備えているものとする。
【００６９】
更に、案内情報提供装置１Ｂは、検索画像中に含まれる文字情報を検出する処理を行う文字認識モジュール２７と、検出された文字情報を含む配信用データの生成を行う配信データ作成モジュール２６を備えた構成を有する。また、案内情報提供装置１Ｂは、機能モジュールにおける動作処理の制御を行う制御モジュール２１を備えている。
制御モジュール２１は、実施形態１における制御モジュール１１が有する機能に加えて、文字認識モジュール２７の動作を制御する機能を有するものとする。
【００７０】
文字認識モジュール２７は、検索画像中に含まれる文字（または文字列）の検出し認識する文字認識機能を備えている。文字認識モジュール２７は、文字認識処理の結果を配信データ作成モジュール２６に出力する。
尚、画像中に含まれた文字（列）を認識するための技術としては、例えば、特許第３６６１７７４号、特開２００６−１０７２０５、特許第３０９２５７６号、ＷＯ２００５／０６６８８２に開示されている。
【００７１】
配信データ作成モジュール２６は、ユーザ端末１００から入力された検索画像、情報提示履歴管理モジュール１５が保持する提示用案内コンテンツの履歴情報、指定された提示用案内コンテンツに対応して設定された配信用案内コンテンツ、および文字認識モジュール２７から出力される文字（列）データを含み川迫される配信用データを作成する。
【００７２】
この配信データ作成モジュール２６は、図１０に示すように、情報提示履歴管理モジュール１５が保持する情報提示用案内コンテンツの履歴情報を取得する配信指定集計モジュール１６１と、参照用データ格納モジュール１３により格納された配信用案内コンテンツを取得する配信データ収集モジュール１６２と、取得された配信用案内コンテンツ、検索画像、および文字認識モジュール２７から出力される文字（列）データを含み構成される配信用データの生成を行う配信データ編集モジュール２６３から構成される。
【００７３】
案内情報提供装置１Ｂにより配信される配信用データは、例えば図１１に示すように、案内情報提供装置１Ｂに入力された検索画像と、この検索画像に対応する登録画像、これに対応して設定された配信用案内コンテンツ、および文字認識モジュール２７により検出（認識）された文字認識結果を組み合わせたコンテンツが複数個（ｎ個）結合された形式で作成されるものとする。
【００７４】
［実施形態２の動作説明］
次に、本実施形態２に係る案内情報提供装置１Ｂの動作について、説明する。
本実施形態２の動作内容である、上述の実施形態１と同様に、コンテンツ検索処理動作Ｂ１およびコンテンツ配信処理動作Ｂ２からなる。
尚、検索処理動作Ｂ１は、上述の実施形態１における検索処理Ａ１動作と同一である。
【００７５】
以下、本実施形態２に係る案内情報提供装置１Ｂのコンテンツ配信処理動作Ｂ２について、図１２のフローチャートに基づき説明する。
尚、このコンテンツ配信処理動作Ｂ２においては、上記実施形態１におけるコンテンツ配信処理Ａ２と同様に、例えば、ユーザ端末１００から明示的な配信要求指示が行われた時（配信要求時）、あるいは予め設定された日時に行われるものとする。
ここでは、ユーザ端末１００から送り込まれた指定入力を配信要求指示として受信した場合について説明する。
【００７６】
まず、配信データ作成モジュール１６の配信指定集計モジュール１６１が、情報提示履歴管理モジュール１５により記憶された履歴情報に基づき、ユーザ端末１００から配信要求された配信用案内コンテンツを特定する（ステップＳ２１）。
【００７７】
次に、配信データ収集モジュール１６２が、特定された配信用案内コンテンツを参照用データ格納モジュール１３の記憶領域から収集する（ステップＳ２２）。
次に、文字認識モジュール２７が、入力されたすべての検索画像から、予め定められた手法により文字（列）を認識することにより、認識された文字（列）を取得する（ステップＳ２５Ｂ）。
次いで、配信データ作成モジュール２６（配信データ編集モジュール２６３）が、配信用データを生成する（ステップＳ２３Ｂ）。
【００７８】
ここで、上記実施形態１におけるステップＳ２３（配信用データ編集）では配信指定集計モジュール１６１により特定された配信用案内コンテンツおよび検索画像を含む配信用データが生成されるのに対し、本実施形態２のステップＳ２４では、配信指定集計モジュール１６１により特定された配信用案内コンテンツに加えて、文字認識モジュール２７により取得された文字（列）認識結果、配信用案内コンテンツ、および検索画像を組み合わせた配信用データを生成するものとする。
【００７９】
これにより、配信指定集計モジュール１６１により配信用案内コンテンツが特定できなかった場合（例えば、検索したい対象物に関する参照用データが参照用データ格納モジュール１３に格納されていなかった場合など）でも、取得された認識文字列を検索画像に対する説明文として付加した配信用データを生成することができる。
【００８０】
次に、制御モジュール１１が、生成された配信用データを端末１００に対して配信する（配信データ送信：ステップＳ２４）。
【００８１】
尚、この配信データ送信は、上記実施形態１と同様に、例えば、電子メールに添付することで配信してもよい。また、計算機もしくは計算機ネットワーク上の予め定められた格納手段に格納する設定であってもよい。
【００８２】
以上のように、本実施形態２の案内情報提供装置１Ｂでは、検索画像に係る配信用データを生成するためのユーザの入力負荷を有効に軽減することができる。
また、提示用案内コンテンツを提示した上でユーザにより配信指定された情報提示用案内コンテンツに対応する情報配信用案内コンテンツと、検索キーとして利用された対象物画像を文字（列）認識することで得られる文字列を基に配信用データを生成することができる。
【００８３】
更には、参照用データが予め登録されていない対象物に関する文字列が獲得することが可能となり、更には、獲得された文字列の一部のみを修正された、文字列のコピー、削除、貼り付けなどを行うことにより編集した配信用データをユーザ端末に提供することができる。
これにより、ユーザの文字列入力負荷を軽減することができ、更には、取得した文字列情報を参照用データに含まれる情報配信用案内コンテンツ、情報提示用案内コンテンツを作成するための元データ（参考データ）として利用することも可能となる。
【００８４】
また、上記実施形態１および２では、予め設定された時刻に関する処理（タイマーによる配信指定の有無に関する判定処理、指定された日時の情報配信）を実現するために、案内情報提供装置１内に時計機能やカレンダー機能を備えた設定であってもよい。また、指定の時間、日時を保持する機能を備えておいてもよい。
例えば、毎日一定時刻に配信が行われるように設定すれば、２４時間以内に配信指定を行った情報配信用案内コンテンツがまとめて配信されることになるため、日記を作成する際に利用しやすい形態でデータが配信されることになる。
【００８５】
また、上記実施形態１および２における提示用案内コンテンツで、案内情報提供装置がユーザ端末に対して登録画像そのものを提供する設定であってもよい。これにより、提示用案内コンテンツを格納するための容量を軽減することができる。
【００８６】
また、登録画像から計算される画像特徴量を参照用データ格納モジュール１３に予め格納することにより、登録画像の格納を省略することができる。このとき、画像照合モジュール１２は画像の照合には画像特徴量を利用する。尚、この場合は、配信用データにおける登録画像を省略する。
【００８７】
また、上述した実施形態１および２では、ＣＰＵ２が実行する各モジュールを、一例として、プログラムとして説明したが、上述した各機能モジュールは、上述した案内情報提供装置を実現する場合において、プログラムを実行することにより実現される所定の機能単位として認識することができる。従って、これら各モジュールの一部または全部を、ハードウェアとして実現する構成であってもよい。
【００８８】
尚、登録画像と情報提示用案内コンテンツ、情報配信用案内コンテンツとの内容は必ずしも同一の文字列でなくてもよい。
例えば、ある言語（例えば英語）で文字列が記載されているオブジェクトを写した登録画像に対して、別の言語（例えば日本語）で記載された情報提示用案内コンテンツや情報配信用案内コンテンツを登録しておけば、翻訳装置に用いることができる。
【００８９】
また、実施形態１および２の案内情報提供装置１のユーザの属性情報（年齢、性別、居住地域、嗜好など）が取得できる場合、案内情報提供装置１が、取得した属性に応じて、情報提示用案内コンテンツの内容を変更する設定としてもよい。
このため、例えば、一般のユーザに対する提示用案内コンテンツ、配信用案内コンテンツを予め記憶することに加えて、ユーザが子供であることを想定して、説明が平易な情報提示用案内コンテンツを提示し、かつ、学校・家庭での学習のために役立つ情報を含んだ配信用案内コンテンツを含む配信用データを生成可能に、提示用案内コンテンツや配信用案内コンテンツが設定された構成であってもよい。
【００９０】
また、製品を特定するための情報、例えば、製品に記載されている型番が記載された対象物の画像を登録画像として設定することにより、本実施形態の案内情報提供装置を、製品情報を検索するために用いることができる。
この場合、提示用案内コンテンツには、製品の特徴に関する情報を含んでおいてもよい。また、情報配信用案内コンテンツには、購入に有用な情報を含んでおいてもよい。
また、随時情報提示用案内コンテンツもしくは情報配信用案内コンテンツの何れか一方以上を、安全性等に関して製品発売開始時点ではわからなかった情報などを含むように随時更新することも可能である。
これにより、例えば、案内情報提供装置のユーザは、以前に発売された製品の安全性等に関する情報を、発売後に更新された情報を含めて検索することができる。
【００９１】
また、紙に印刷された新聞や雑誌の記事を登録画像として設定することにより、本実施形態の案内情報提供装置を、新聞や雑誌の記事を検索するために用いることができる。
これにより、紙に印刷された新聞、雑誌の記事から、当該記事に関連して他の号に記載された新聞、雑誌や他の関連情報を見出すことが困難である。
しかしながら、計算機ネットワーク上では、例えば、リンクを貼ることにより、関連記事を閲覧できるようにすることができる。
また、情報提示用案内コンテンツ、情報配信用案内コンテンツとして、他の号もしくはその他の関連情報を含むようなものを準備しておけば、そのような課題を改善することができる。
【００９２】
更に、店舗を検索するために案内情報提供装置を利用することも可能である。例えば、登録画像として店舗の看板などを用いても良く、情報提示用案内コンテンツとしてメニューや地図などを含んでいても良く、情報配信用案内コンテンツとして割引クーポンや地図を含んでいてもよい。
【００９３】
また、実施形態１および２の案内情報提供装置における情報提示用案内コンテンツ、情報配信用案内コンテンツをユーザ自らが用意しておいて、ユーザ自らの記憶を喚起するために利用してもよい。
例えば、過去に訪れた時に対象物を撮影した写真を登録画像として、そのときの記録を情報提示用案内コンテンツや情報配信用案内コンテンツとして格納しておけば、同じ対象物を再度撮影して検索画像としたときに、過去の記録の提示・配信を受けることが可能である。
【００９４】
ここで、登録画像、情報提示用案内コンテンツ、情報配信用案内コンテンツに対する他ユーザへの公開を許可していれば、他ユーザが案内情報提供装置を用いる際の登録画像、情報配信用案内コンテンツ、情報提示用案内コンテンツとして用いることも可能である。例えば、インターネット上のサイト、ソーシャル・ネットワーキング・サービス（ＳＮＳ）などにおいて、このような機能をユーザに対して提供することも可能である。
【産業上の利用可能性】
【００９５】
本発明は、対象物の撮影を行うカメラ装置と、撮影された画像データ内の対象物画像に係る情報（対象物情報）と撮影された画像データとを含み構成される配信用データを生成する配信データ生成装置を備えたコンテンツ生成システムに対して有用に適用することができる。
【符号の説明】
【００９６】
１、１Ｂ  案内情報提供装置
２  中央演算装置（ＣＰＵ）
３  記憶媒体
４  入出力インターフェイス
１１、２１  制御モジュール
１２  画像照合モジュール
１３  参照用データ格納モジュール
１４  情報提示モジュール
１５  情報提示履歴管理モジュール
１６、２６  配信データ作成モジュール
２７  文字認識モジュール
１６１  配信指定集計モジュール
１６２  配信データ収集モジュール
１６３、２６３  配信データ編集モジュール
【図１】
2011187001.tif 000003
【図２】
2011187001.tif 000004
【図３】
2011187001.tif 000005
【図４】
2011187001.tif 000006
【図５】
2011187001.tif 000007
【図６】
2011187001.tif 000008
【図７】
2011187001.tif 000009
【図８】
2011187001.tif 000010
【図９】
2011187001.tif 000011
【図１０】
2011187001.tif 000012
【図１１】
2011187001.tif 000013
【図１２】
2011187001.tif 000014